(57)【要約】【課題】保守作業の実施中に、注意すべき事項をリアルタイムに保守作業者に報知する。【解決手段】本発明は、無線タグ１０を保守作業に関連する部位に設け、タグリーダを保守作業者１２ａが所持する携帯通信器１３に設け、タグリーダの読み取り情報に関連した保守作業時の注意事項を報知する報知部１１を携帯通信器１３に接続してある。また本発明は、エレベータを遠隔的に監視する監視センタ１４が、無線タグ１０に関連させた保守作業時の注意事項を記憶する第１，第２記憶部１５ａ，１５ｂと、携帯通信器１３から送信されたタグリーダの読み取り情報に応じて第１，第２記憶部１５ａ，１５ｂに記憶された保守作業時の注意事項を選択し、保守作業者１２ａと共同作業者１２ｂの携帯通信器１３の通信部１３ａに送信する処理を行う処理部１６とを備えている。【選択図】図１
2016084197.tif 000002
【特許請求の範囲】
【請求項１】
無線タグと、この無線タグの情報を読み取るタグリーダと、このタグリーダの読み取り情報に関連した保守作業時の注意事項を報知する報知部とを備えたエレベータの保守作業時報知装置において、
前記無線タグを保守作業に関連する部位に設け、前記タグリーダを保守作業者が所持する携帯通信器に設け、前記報知部を前記携帯通信器に接続するとともに、
前記エレベータを遠隔的に監視する監視センタは、
前記無線タグに関連させた保守作業時の注意事項を記憶する記憶部と、
前記携帯通信器から送信された前記タグリーダの読み取り情報に基づいて、前記記憶部に記憶された保守作業時の注意事項のうちから該当する読み取り情報に対応する前記無線タグに関連する保守作業時の注意事項を読み出し、この読み出された保守作業時の注意事項を前記保守作業者の前記携帯通信器に送信するとともに、前記読み出された保守作業時の注意事項を、前記保守作業者と共同で作業を行う共同作業者の携帯通信器に送信する処理を行う処理部とを有することを特徴とするエレベータの保守作業時報知装置。
【請求項２】
請求項１に記載のエレベータの保守作業時報知装置において、
前記処理部は、前記読み出された保守作業時の注意事項を、前記保守作業者と前記共同作業者が所属する営業所拠点に設けられた受信部に送信する処理を行うことを特徴とするエレベータの保守作業時報知装置。
【請求項３】
請求項２に記載のエレベータの保守作業時報知装置において、
前記監視センタの前記記憶部は、
前記保守作業者が所持する前記携帯通信器によって特定される前記保守作業者の作業スケジュールを記憶する第１記憶部と、
前記第１記憶部に記憶された前記保守作業者の作業スケジュールに含まれる作業内容に関連する保守作業時の注意事項を記憶する第２記憶部と、
前記保守作業者の情報と、前記共同作業者の情報と、前記営業所拠点の関係者の情報を記憶する第３記憶部とを含むことを特徴とするエレベータの保守作業時報知装置。
【請求項４】
請求項３に記載のエレベータの保守作業時報知装置において、
前記無線タグが設けられる保守作業に関連する部位は、前記エレベータの所定の部位であることを特徴とするエレベータの保守作業時報知装置。
【請求項５】
請求項４に記載のエレベータの保守作業時報知装置において、
前記エレベータの所定の部位は、上部床面を含む乗かごの部分、前記乗かご上に取り付けられる安全柵、昇降路の塔頂部、巻上機の回転部、及び釣り合いおもりのうちの少なくとも１つであることを特徴とするエレベータの保守作業時報知装置。
【請求項６】
請求項３に記載のエレベータの保守作業時報知装置において、
前記無線タグが設けられる保守作業に関連する部位は、前記保守作業者が身に着けるものであることを特徴とするエレベータの保守作業時報知装置。
【請求項７】
請求項６に記載のエレベータの保守作業時報知装置において、
前記保守作業者が身に着けるものは、前記保守作業者が装備する命綱、及びヘルメットのうちの少なくとも１つであることを特徴とするエレベータの保守作業時報知装置。
【請求項８】
請求項１〜７のいずれか１項に記載のエレベータの保守作業時報知装置において、
前記報知部は、保守作業時の注意事項を画面表示する表示部と、保守作業時の注意事項を音声で伝える音声発生部とを含むことを特徴とするエレベータの保守作業時報知装置。
【請求項９】
請求項８に記載のエレベータの保守作業時報知装置において、
前記表示装置は透過型ディスプレイから成り、前記音声発生装置はイヤホーンを含むことを特徴とするエレベータの保守作業時報知装置。
【発明の詳細な説明】
【技術分野】
【０００１】
本発明は、タグリーダによって読み取られる無線タグの情報に応じて保守作業時の注意事項を報知するエレベータの保守作業時報知装置に関する。
【背景技術】
【０００２】
この種の従来技術として特許文献１に示されるものがある。この特許文献１に開示された従来技術は、エレベータの保守作業を行う保守作業者の身に無線タグを取り付け、エレベータの危険部位等の所定の部位に無線タグの情報を読み取るタグリーダを設置し、このタグリーダに音声再生装置及び表示装置を含む報知部を接続した構成にしてある。
【０００３】
この従来技術は、保守作業者がタグリーダに接近したとき、タグリーダによって保守作業者の身に着けた無線タグの情報が読み取られ、このタグリーダから出力される読み取り信号に応じて保守作業時の注意事項が、音声再生装置から音声として発せられ、また、表示装置に画面表示されるようになっている。
【先行技術文献】
【特許文献】
【０００４】
【特許文献１】特開２００７−６２８５４号公報
【発明の概要】
【発明が解決しようとする課題】
【０００５】
前述した従来技術は、保守作業に際して保守作業者に注意事項を報知することから、保守作業の安全性の確保に貢献する。しかしながら、前述した従来技術は、保守作業の実施中に注意すべき事項をリアルタイムに報知することは考慮されていない。この点で前述した従来技術は、保守作業時における保守作業者の安全性の確保に対して必ずしも十分なものとは言い難い。
【０００６】
本発明は、前述した従来技術における実情からなされたもので、その目的は、保守作業の実施中に、注意すべき事項をリアルタイムに保守作業者に報知することができるエレベータの保守作業時報知装置を提供することにある。
【課題を解決するための手段】
【０００７】
前記目的を達成するために、本発明に係るエレベータの保守作業時報知装置は、無線タグと、この無線タグの情報を読み取るタグリーダと、このタグリーダの読み取り情報に関連した保守作業時の注意事項を報知する報知部とを備えたエレベータの保守作業時報知装置において、前記無線タグを保守作業に関連する部位に設け、前記タグリーダを保守作業者が所持する携帯通信器に設け、前記報知部を前記携帯通信器に接続するとともに、前記エレベータを遠隔的に監視する監視センタは、前記無線タグに関連させた保守作業時の注意事項を記憶する記憶部と、前記携帯通信器から送信された前記タグリーダの読み取り情報に基づいて、前記記憶部に記憶された保守作業時の注意事項のうちから該当する読み取り情報に対応する前記無線タグに関連する保守作業時の注意事項を読み出し、この読み出された保守作業時の注意事項を前記保守作業者の前記携帯通信器に送信するとともに、前記読み出された保守作業時の注意事項を、前記保守作業者と共同で作業を行う共同作業者の携帯通信器に送信する処理を行う処理部とを有することを特徴としている。
【発明の効果】
【０００８】
本発明に係るエレベータの保守作業時報知装置は、保守作業の実施中に、保守作業者が所持する携帯通信器が保守作業に関連する部位に設けた無線タグに接近すると、携帯通信器からの信号に応じて監視センタの処理部が記憶部に記憶されている受信対象の無線タグに関連する注意事項を読み出し、保守作業者の所持する携帯通信器に送信する処理を行う。これに応じて携帯通信器に接続された報知部を介して送信された注意事項が報知される。このとき同時に、保守作業者の共同作業者の携帯通信器にも注意事項が報知される。これによって共同作業者にも保守作業者に対する注意事項が共有される。このように本発明は、保守作業の実施中に注意すべき事項をリアルタイムに保守作業者に報知することができるとともに、共同作業者にも注意事項をリアルタイムに報知することができる。これにより本発明は、保守作業時における保守作業者に対するより高い安全性と高い安全意識を確保することができる。
【図面の簡単な説明】
【０００９】
【図１】本発明に係るエレベータの保守作業時報知装置の一実施形態の全体構成を示す図である。
【図２】本実施形態に備えられる監視センタの第１記憶部、第２記憶部、及び第３記憶部の記憶内容を示す図である。
【図３】本実施形態に備えられる無線タグの配設箇所の一例を示す図である。
【図４】本実施形態に備えられる無線タグの配設箇所の他の例を示す図である。
【図５】保守作業時の注意事項が保守作業者に報知されている状態を示す図で、（ａ）図は保守作業者がイヤホーンと表示装置を身に着けている状態を示す図、（ｂ）図は表示装置の第１表示例を示す図、（ｃ）図は表示装置の第２表示例を示す図、（ｄ）図は表示装置の第３表示例を示す図、（ｅ）図は表示装置の第４表示例を示す図である。
【図６】営業所拠点の表示部で表示される表示例を示す図である。
【発明を実施するための形態】
【００１０】
以下、本発明に係るエレベータの保守作業時報知装置の実施の形態を図面に基づいて説明する。
【００１１】
図１に示すように、本実施形態に係る保守作業時報知装置が設けられるエレベータは、昇降路内を昇降する乗かご１と、この乗かご１の負荷を軽減させるカウンタウェイト（Ｃ．Ｗｔ）、すなわち釣り合いおもり２と、乗かご１と釣り合いおもり２を連結するワイヤロープ３と、このワイヤロープ３を移動させる巻上機４とを備えている。
【００１２】
本実施形態は、無線タグ１０と、この無線タグ１０の情報を読み取るタグリーダと、このタグリーダの読み取り情報に応じて保守作業時の注意事項を報知する報知部１１とを備えている。
【００１３】
無線タグ１０は、保守作業に関連する部位に設けてあり、タグリーダは保守作業者１２ａが保持する携帯通信器１３、及び保守作業者１２ａと共同で作業を行う共同作業者１２ｂが所持する携帯通信器１３に設けてある。また、報知部１１は携帯通信器１３に接続してある。
【００１４】
前述した無線タグ１０は、エレベータの所定の部位に設けてある。例えば図３，４に示すように、乗かご１の上部床面２２、乗かご１上に設置される安全柵２３、昇降路の塔頂部２４、巻上機４の回転部４ａのうちの少なくとも１つに、例えばこれらの全てに設けてある。
【００１５】
また前述した無線タグ１０は、保守作業者１２ａが身に着ける部位にも設けてある。例えば図３に示すように、保守作業者１２ａが装備する命綱２５及びヘルメット２６のうちの少なくとも１つに、例えば双方に設けてある。
【００１６】
また、本実施形態に係る保守作業時報知装置は、図１に示すように、エレベータを遠隔的に監視する監視センタ１４を含んでいる。
【００１７】
この監視センタ１４は、保守作業者１２ａ及び共同作業者１２ｂのそれぞれが所持する携帯通信器１３の通信部１３ａに一般公衆回線等を介して遠隔的に接続され、保守作業者１２ａの携帯通信器１３の通信部１３ａから送信される無線タグ１０の読み取り情報を入力し、あるいは監視センタ１４からの注意事項に関連する情報を、保守作業者１２ａの携帯通信器１３の通信部１３ａ、共同作業者１２ｂの携帯通信器１３の通信部１３ａ、及び保守作業者１２ａと共同作業者１２ｂの所属する営業所拠点１８の受信部１９に出力する入出力部１７を含んでいる。
【００１８】
また、監視センタ１４は、無線タグ１０に関連させた保守作業時の注意事項を記憶する記憶部１５を備えている。この記憶部１５は、図１，２に示すように、保守作業者１２ａが所持する携帯通信器１３によって特定される保守作業者１２ａの作業スケジュールを記憶する第１記憶部１５ａと、この第１記憶部１５ａに記憶された保守作業者１２ａの作業スケジュールに含まれる作業内容に関連する保守作業時の安全情報、すなわち注意事項を記憶する第２記憶部１５ｂと、保守作業者１２ａの情報を記憶するとともに、共同作業者１２ｂの情報、及び営業所拠点１８の監督責任者等の関係者１２ｃの情報を記憶する第３記憶部１５ｃとを含んでいる。
【００１９】
前述した保守作業者１２ａ及び共同作業者１２ｂの所持する携帯通信器１３に接続される報知部１１は、図５の（ａ）図に示すように、注意事項を画面表示する表示装置、例えば保守作業者１２ａの目の位置に装着される透過型ディスプレイ２７と、注意事項を保守作業者１２ａに音声で伝えるイヤホーン２８を有する音声発生装置とを含んでいる。
【００２０】
また、監視センタ１４は、保守作業者１２ａの携帯通信器１３の通信部１３ａから送信されたタグリーダの読み取り情報に基づいて、第１，第２の記憶部１５ａ，１５ｂに記憶された保守作業時の注意事項のうちから該当する読み取り情報に対応する無線タグに関連する保守作業時の注意事項を読み出し、この読み出された保守作業時の注意事項を保守作業者１２ａ及び共同作業者１２ｂそれぞれの携帯通信器１３に送信し、このとき例えば同時に保守作業者１２ａと共同作業者１２ｂが所属する営業拠点１８に設けられた受信部１９に送信する処理を行う処理部１６を備えている。
【００２１】
このように構成した本実施形態にあっては、保守作業の開始に際し、保守作業者１２ａが例えば命綱２５及びヘルメット２６を装備していないときには、保守作業者１２ａの所持する携帯通信器１３内のタグリーダが命綱２５に設けた無線タグ１０の情報、及びヘルメット２６に設けた無線タグ１０の情報を読み取ることができず、読み取り不能信号が携帯通信器１３の通信部１３ａから監視センタ１４の入出力部１７に送信される。
【００２２】
入出力部１７から入力した読み取り不能信号が処理部１６に出力される。処理部１６は、記憶部１５の図示しない読み取り不能用記憶部に記憶されている受信対象の無線タグ１０に関連する注意事項、例えば「ヘルメットを着用して下さい。」及び「命綱を装備して下さい。」等の文言に対応する注意事項を選択し、入出力部１７を介して保守作業者１２ａの所持する携帯通信器１３の通信部１３ａに送信する。
【００２３】
また処理部１６においては、図２に示すように共同作業者１２ｂの情報を監視センタ１４の第３記憶部１５ｃにより読み出し、共同作業者１２ｂの携帯通信器１３の通信部１３ａにも送信する。
【００２４】
これに応じて、携帯通信器１３から保守作業者１２ａ、共同作業者１２ｂにインタホーン２８によって前述したヘルメット２６及び命綱２５に関連する注意事項が音声として伝えられ、また、透過型ディスプレイ２７に画面表示される。また、第３記憶部１５ｃによって読み出された営業所拠点１８の監督責任者等の関係者１２ｃには、監視センタ１４の処理部１６、データ配信部から送信された注意事項が営業所拠点１８に設けられた受信部１９で受信され、これに応じて表示部２０に例えば図６に示す表示が行われる。また、サイレンサ、フラッシュランプといった手段で構成される警報部２１によっても、営業所拠点１８の関係者１２ｃに知らされる。
【００２５】
すなわち、保守作業者１２ａ、共同作業者１２ｂ、営業所拠点１８の関係者１２ｃに対して、前述した注意事項により保守作業者１２ａに関係するヘルメット２６、及び命綱２５の装備が報知される。
【００２６】
また、保守作業の開始に際し、乗かご１の上部床面２２上に安全柵２３が設けられていないときには、例えば保守作業者１２ａの所持する携帯通信器１３内のタグリーダが安全柵２３に設けた無線タグ１０の情報を読み取ることができず、読み取り不能信号が保守作業者１２ａの携帯通信器１３の通信部１３ａから監視センタ１４の入出力部１７に送信される。
【００２７】
入出力部１７から入力した読み取り不能信号が処理部１６に出力される。処理部１６は、記憶部１５の図示しない読み取り不能記憶部に記憶されている受信対象の無線タグ１０に関連する注意事項、例えば保守作業者１２ａに対しては「乗かごの上部床面上に安全柵を取り付けて下さい。」、共同作業者１２ｂに対しては「作業者が安全柵を取り付けていません。」等の文言に対応する注意事項を選択し、入出力部１７を介して保守作業者１２ａ、共同作業者１２ｂがそれぞれ所持する携帯通信器１３の通信部１３ａに該当する注意事項を送信する。これに応じて、携帯通信器１３から保守作業者１２ａ、共同作業者１２ｂにイヤホーン２８を介して安全柵２３の取り付けに関連する注意事項が音声によって伝えられ、また、透過型ディスプレイ２７に画面表示される。また、このとき同時に、監視センタ１４の処理部１６、データ配信部、及び営業所拠点１８の受信部１９を介して営業所拠点１８の関係者１８ｃにも、表示部２０及び警報部２１によって報知される。
【００２８】
すなわち、保守作業者１２ａ、共同作業者１２ｂ、及び営業所拠点１８の関係者１２ｃに対して、保守作業の開始に先立ち、前述した注意事項によって安全柵２３を取り付けることを報知され、促される。
【００２９】
このように本実施形態は、保守作業の開始に際して保守作業者１２ａと、共同作業者１２ｂと、営業所拠点１８の関係者１２ｃとに、保守作業に必要とされる注意事項を事前に報知でき、この点で保守作業の基本的な安全性の確保を実現させることができる。また、共同作業者１２ｃと営業所拠点１８の関係者１２ｃが常に保守作業者１２ａの安全を確認できる。
【００３０】
また本実施形態は、保守作業の実施中においても必要な注意事項を保守作業者１２ａ、共同作業者１２ｂ、営業所拠点１８の関係者１２ｃに報知することができる。すなわち、監視センタ１４の第１記憶部１５に記憶された作業スケジュールに従って行われる保守作業に際し、例えば乗かご１の保守運転により乗かご１の上部床面２２上で保守作業を行っている保守作業者１２ａの所持する携帯通信器１３が塔頂部２４に接近したときには、保守作業者１２ａの所持する携帯通信器１３内のタグリーダによって塔頂部２４に設けた無線タグ１０の情報が読み取られ、通信部１３ａから該当する無線タグ１０に関連する読み取り信号が監視センタ１４の入出力部１７に送信される。
【００３１】
入出力部１７から入力した読み取り信号が処理部１６に出力される。処理部１６は、記憶部１５の第１記憶部１５ａ及び第２記憶部１５ｂに記憶されている受信対象の無線タグ１０に関連する注意事項、例えば「塔頂部に接近しています。頭上に注意して下さい。」等の文言に対応する注意事項を選択し、入出力部１７を介して保守作業者１２ａの所持する携帯通信器１３の通信部１３ａに送信する。これに応じて、携帯通信器１３から保守作業者１２ａにイヤホーン２８を介して前述した頭上注意に関連する注意事項が音声として伝えられ、また、図５の（ｂ）図に示すように、透過型ディスプレイ２７に画面表示される。すなわち保守作業者１２ａに対して、頭上に注意することが報知される。
【００３２】
また、監視センタ１４の第１記憶部１５に記憶された作業スケジュールで行われる保守作業に際し、例えば、巻上機４の付近で保守作業を行っている保守作業者１２ａの所持する携帯通信器１３が、巻上機４の回転部４ａに接近したときには、保守作業者１２ａの所持する携帯通信器１３内のタグリーダによって巻上機４の回転部４ａに設けられた無線タグ１０の情報が読み取られ、通信部１３ａから該当する無線タグ１０に関連する読み取り信号が監視センタ１４の入出力部１７に送信される。
【００３３】
入出力部１７から入力した読み取り信号が処理部１６に出力される。処理部１６は、記憶部１５の第１記憶部１５ａ及び第２記憶部１５ｂに記憶されている受信対象の無線タグ１０に関連する注意事項、例えば「巻上機の回転部に注意して下さい。」等の文言に対応する注意事項を選択し、入出力部１７を介して保守作業者１２ａの所持する携帯通信器１３の通信部１３ａに送信する。これに応じて、携帯通信器１３から保守作業者１２ａにイヤホーン２８を介して前述した巻上機４の回転部４ａに関連する注意事項が音声として伝えられ、図５の（ｃ）図に示すように、透過型ディスプレイ２７に画面表示される。すなわち保守作業者１２ａに対して、巻上機４の回転部４ａに注意することが報知される。
【００３４】
また、共同作業者１２ｂにも保守作業者１２ａが回転部の近傍にいることが携帯通信器１３からイヤホーン２８を介して例えば、「作業者は回転部の近傍にいます。エレベータを動かす場合には注意して下さい。」といった注意事項が音声で伝えられ、図５の（ｅ）図に示すように、透過型ディスプレイ２７に画面表示される。またこのとき同時に、第３記憶部１５ｃに記憶された営業所拠点１８の監督責任者等の関係者１２ｃにも、営業所拠点１８の表示部２０及び警報部２１によって注意事項が報知される。
【００３５】
なお、何らかの理由により、作業が中止となったときには、保守作業者１２ａが作業を行っていた所定位置から離脱したかどうかの注意事項が音声として、保守作業者１２ａ、共同作業者１２ｂそれぞれの携帯通信器１３から保守作業者１２ａ、共同作業者１２ｂのイヤホーン２８を介して伝えられ、図５の（ｄ）図に示すように透過型ディスプレイ２７に画面表示される。また、このとき同時に、営業所拠点１８の関係者１２ｃにも、表示部２０及び警報部２１によって注意事項が報知される。
【００３６】
以上のように、本実施形態に係る保守作業時報知装置は、保守作業の実施中に保守作業者１２ａが所持する携帯通信器１３が保守作業に関連する部位に設けた無線タグ１０に接近すると、携帯通信器１３からの読み取り信号に応じて監視センタ１４の第１記憶部１５ａ及び第２記憶部１５ｂに記憶されている受信対象の無線タグ１０に関連する注意事項が、監視センタ１４の処理部１６、入出力部１７を介して保守作業者１２ａ、共同作業者１２ｂの所持する携帯通信器１３の通信部１３ａに送信され、携帯通信器１３に接続されたイヤホーン２８及び透過型ディスプレイ２７を介して、送信された注意事項が報知される。また、このとき同時に営業所拠点１８の監督責任者等の関係者１２ｃにも同様に注意事項が報知される。
【００３７】
このように本実施形態は、保守作業の実施中に注意すべき事項をリアルタイムに保守作業者１２ａと、共同作業者１２ｂと、営業所拠点１８の関係者１２ｃに報知することができ、保守作業時における保守作業者１２ａに対するより高い安全性と高い安全意識を確保することができる。
【００３８】
なお、前述した実施形態にあっては、保守作業時の注意事項を監視センタ１４の処理部１６から保守作業者１２ａ、共同作業者１２ｂ、及び営業所拠点１８の関係者１２ｃに送信するようにしたが、保守作業者１２ａと共同作業者１２ｂの携帯通信器１３だけに送信する構成としてもよい。
【符号の説明】
【００３９】
１    乗かご
２    釣り合いおもり
３    ワイヤロープ
４    巻上機
４ａ  回転部
１０    無線タグ
１１    報知部
１２ａ  保守作業者
１２ｂ  共同作業者
１２ｃ  関係者
１３    携帯通信器
１３ａ  通信部
１４    監視センタ
１５    記憶部
１５ａ  第１記憶部
１５ｂ  第２記憶部
１５ｃ  第３記憶部
１６    処理部
１７    入出力部
１８    営業所拠点
１９    受信部
２０    表示部
２１    警報部
２２    上部床面
２３    安全柵
２４    塔頂部
２５    命綱
２６    ヘルメット
２７    透過型ディスプレイ（表示装置）
２８    イヤホーン（音声発生装置）
【図１】
2016084197.tif 000003
【図２】
2016084197.tif 000004
【図３】
2016084197.tif 000005
【図４】
2016084197.tif 000006
【図５】
2016084197.tif 000007
【図６】
2016084197.tif 000008